(57)【要約】【課題】    方立部や縦枠内に設けられる換気装置を提供する【解決手段】  方立部（縦枠部）の内部構造があらかじめ屋内外連通構造を有し、屋内側の方立部内が３個の空間に分割され中央空間３が屋内外の連通空間であり、この連通空間と隣接する空間４、５との間に第１開口部６、６が設けられ、隣接空間４、５において第１開口部６と対向する側に第２開口部７が設けられこの隣接空間内のそれぞれにスライドリンク機構９と引っ張りバネ１０と電動シリンダ１１とを用いて第１開口部６を開閉する閉鎖板１５付開閉体８が設けられ、押し釦操作により閉鎖板付開閉体８が第１開口部６を開閉させて屋内への外気流出入量を調節する方立部内換気装置【選択図】  図７
2005180158.tif 000002
【特許請求の範囲】
【請求項１】
方立部の内部構造が屋外側と屋内側とを連通させた通気構造を有し方立部の屋内側が２空間に間仕切りされて一方側の空間が屋外側と連通構造をなし、他方の空間との境界部に第１開口部が設けられ他方の空間の上記第１開口部に対向する位置に第２開口部が設けられこの第１開口部と第２開口部との間に上記第１開口部を密閉開閉する開閉体が開閉手段を介して設けられまた上記第２開口部を閉鎖する閉鎖板が上記開閉体と一体化もしくは上記開閉体と連動するようにして設けられ上記第１開口部が開閉手段を有した開閉体により密閉された時上記第２開口部もまた閉鎖板によって閉鎖されることを特徴とする方立部内換気装置
【請求項２】
方立部の内部構造が屋外側と屋内側とが連通された通気構造を有し方立部の屋内側が３空間に間仕切りされて中央部空間が屋外側と連通構造をなしこの中央部空間の片側あるいは両側に第１開口部が設けられ屋内側方立部の表側面側には内部に上記第１開口部が設けられた時、この表側面側の上記第１開口部に対向する位置に第２開口部が設けられこの第１開口部と第２開口部との間に上記第１開口部を密閉開閉する開閉体が開閉手段を介して設けられまた上記第２開口部を閉鎖する閉鎖板が上記開閉体と一体化もしくは上記開閉体と連動するようにして設けられ上記第１開口部が開閉手段を有した開閉体により密閉された時上記第２開口部もまた閉鎖板によって閉鎖されることを特徴とする方立部内換気装置
【請求項３】
開閉手段がリンク機構による開閉と往復駆動手段とによって組合わされた構成を持つことを特徴とする請求項１および請求項２記載の方立部内換気装置。
【請求項４】
往復駆動手段が電動シリンダによって往復駆動されていることを特徴とする請求項３記載の方立部内換気装置
【請求項５】
上記請求項３および請求項４記載の方立部内換気装置が室内に複数個設けられ一つの操作スイッチにより連動することを特徴とする方立部内換気装置
【発明の詳細な説明】
【技術分野】
【０００１】  本発明装置は、はめ殺し窓などの方立部内あるいは縦枠内部に設ける換気装置に関する。
【背景技術】
【０００２】  換気方法として従来から行われている最も単純な方法は窓や障子などを開閉して室内空気と外界の空気の入れ換えをする自然換気方法であるが、高層ビル等の窓は地上より風が強いため窓の開閉が出来ないような構造になっている場合が多く、そのほとんどはビル空調による集中システムが採用されている。この窓の開閉が出来ないような構造は進化して最近では遠くから見ると全面ガラスのみで構成されたように見えるビルディングが増えてきているがこの集中システムのビル空調は換気が不十分になりがちで室内空気はきれいとは言えない。そのため自然換気方法が種々工夫され、建物外壁に換気口を設け建物内外を連通させた風洞を設け風洞内に風量調整弁を設けた自然換気装置（特許文献１参照）や無目を利用して室内を換気する装置（特許文献２参照）あるいは通常形状の無目を利用して簡単に換気無目とする換気装置（特許文献３参照）などが提供されてきていた。【０００３】
【特許文献１】        特開平１０−２３２０３９号公報  図１〜図２
【特許文献２】        特開昭５９−２８０７号公報
【特許文献３】        開平１１−２１７９８０号公報  フロントページ
【発明の開示】
【発明が解決しようとする課題】
【０００４】  しかしながら特許文献１のものはあらかじめサッシあるいはカーテンウォールに建物内外と連通する風洞の空気出入口を一体的に形成しておく必要があってそれは別注品であり、特許文献２、特許文献３は無目の部分の全体を用いるのではなく無目の一部分に筒体を挿入して換気通路を形成してなるものであってあらかじめ筒体挿入のための前加工を必要とするという問題点があり、また特許文献１の図１のものは屋内吹き出しが床板開口部であり、特許文献２、特許文献３のものはいずれも屋内側吹き出しの開口部が天井方向を向いており、室内で発生する塵埃が堆積して開口部を塞ぎ易いという不都合があった。本発明はかかる不都合を解決することを目的として提供されたものである。
【課題を解決するための手段】
【０００５】  本発明は換気装置の開口部を縦型にすれば塵埃が堆積しないという発想から方立部に注目し、方立部または縦枠の内部構造を言及することによってかかる不都合を解決した。すなわち本発明は一つには方立部の内部構造が屋外側と屋内側とを連通させた通気構造を有し方立部の屋内側が２空間に間仕切りされて一方側の空間が屋外側と連通構造をなし、他方の空間との境界部に第１開口部が設けられ他方の空間の上記第１開口部に対向する位置に第２開口部が設けられこの第１開口部と第２開口部との間に上記第１開口部を密閉開閉する開閉体が開閉手段を介して設けられまた上記第２開口部を閉鎖する閉鎖板が上記開閉体と一体化もしくは上記開閉体と連動するようにして設けられ上記第１開口部が開閉手段を有した開閉体により密閉された時上記第２開口部もまた閉鎖板によって閉鎖されることを特徴とする方立部内換気装置であり、また一つには方立部の内部構造が屋外側と屋内側とが連通された通気構造を有し方立部の屋内側が３空間に間仕切りされて中央部空間が屋外側と連通構造をなしこの中央部空間の片側あるいは両側に第１開口部が設けられ屋内側方立部の表側面（おもてそくめん）側には内部に上記第１開口部が設けられた時、この表側面側の上記第１開口部に対向する位置に第２開口部が設けられこの第１開口部と第２開口部との間に上記第１開口部を密閉開閉する開閉体が開閉手段を介して設けられまた上記第２開口部を閉鎖する閉鎖板が上記開閉体と一体化もしくは上記開閉体と連動するようにして設けられ上記第１開口部が開閉手段を有した開閉体により密閉された時上記第２開口部もまた閉鎖板によって閉鎖されることを特徴とする方立部内換気装置であり、また一つにはこの開閉手段がリンク機構による開閉と往復駆動手段とによって組合わされた構成を持つことを特徴とするものであり、また一つはこの往復駆動手段が電動シリンダによって往復駆動されていることを特徴とするものであり、更に一つはこれらの方立部内換気装置が室内に複数個設けられ一つの操作スイッチにより連動することを特徴とするものである。【０００６】  ここでいう開閉手段は、第１開口部、第２開口部とも普段はいつも開放されていて、必要時に操作スイッチにより強制的に開口部を閉じる構成もしくは普段はいつも第１開口部、第２開口部とも閉鎖されていて、必要時に操作スイッチにより強制的に開口部を開く構成のいずれであっても良い。また操作スイッチは操作釦によるオンオフスイッチでオンの間は動作しオフになったら開閉動作がストップする方式であっても、一旦開釦を押せば全開し、閉釦を押せば全閉する方式のものであっても良く、必要に応じて選択すればよいものである。【０００７】  また方立部または縦枠における屋内側の通気形状は片側吹き出しであっても両側吹き出しであっても良く、この方立部内換気装置の取付は部屋の端部の方立部だけでも良いし、壁による間仕切りが設けられる場所の方立部１ヶ所だけでも良いし、また一部屋内において必要に応じて複数個所に設けても良い。また本発明において内部に第１開口部が設けられた時上記第１開口部に対向する位置に第２開口部が設けられるという解釈は仮に第１開口部があってもそこに蓋がしてある場合は開口部があるとは解釈せず開口部が無いと解釈する。また、本来方立部、縦枠と窓の各部にはそれぞれの名称が付記されていて窓と窓との間にある縦枠が方立部、１窓の両端にあるのが縦枠部であるが、本発明においては、両者は略同一と考えられるため以後は方立部に名称を一本化して縦枠部はこの方立部という名称に含まれるものと規定する。
【発明の効果】
【０００８】  本発明の方立部内換気装置は方立部自身があらかじめ屋内外連通構造を為し、方立部の屋内側が複数の空間に間仕切りされてその一つの空間が屋外側と連通構造をなし連通空間と隣の空間部との間に第１開口部が設けられ、この隣の空間部に第１開口部を開閉する開閉装置が設けられるため、装置全体が方立部内に納まるため見栄えが良く景観を損なわないという効果があり、縦型であるため塵埃が堆積しにくい。また、操作スイッチにより複数の方立部内換気装置が同時に操作することもでき、釦操作一つで屋内側への外気流出入量を自在に調整することが出来るため快適な自然換気環境を得ることができる。また電動シリンダを用いることにより狭い空間において装置の取付が可能になった。
【発明を実施するための最良の形態】
【０００９】  以下本発明装置を図に基づいて説明すると、図１ははめ殺し窓の一部を示す外観図、図２は図１における内部側から見た換気装置の取付位置の１例を示す斜視図であり、図３は図１の１方立部における本発明の換気装置を設けた際の部分抜粋の断面図であり、図４と図５は両側の開閉体の開閉機構を示した全開時および全閉時の構成動作説明図であり、図８は一方の開閉体に設けられた開閉機構の構成動作説明図である。【００１０】  図３は図１の１方立部における換気装置を方立部内両側に設けた際の部分抜粋の断面図であり、これは通常時においては屋外側から矢印で示す如く風が流入して換気装置開放時には屋内側に自然な通風があり、屋外からの外気流入量に応じて調整された吹き出し量の風が屋内に流れ、屋外の強風が屋内側に影響を及ぼす場合には釦操作によって外気流入を遮断させることの出来る方立部内換気装置である。
【実施例１】
【００１１】  図３において実施例１の構成を説明すると、本発明実施例１の方立部内換気装置は図１に示すような建物外装を構成するガラス２のカーテンウォール間の１方立部内に設けられたもので、図２の矢印で示した位置が換気装置の取付部であり、屋内側の側面から外気が流出入するように構成されたものである。図３のうち屋内側のみの方立部を抜粋し実施例１の装置を開閉した際の断面図が図７であり、開状態は破線で示したものである。【００１２】  図７において実施例１の方立部１の内部構造は屋外側と屋内側とが連通された通気構造を有し屋外側より矢印の方向から外気流入してくる。方立部の屋内側が３つ空間に間仕切りされて中央部空間３が屋外側と連通構造をなし、この中央部空間３の両側の空間４、５との境界に第１開口部６、６が設けられ、屋内側方立部の表面には第１開口部６に対向する位置に第２開口部７が設けられこの第１開口部６と第２開口部７との間の空間４と空間５とに第１開口部６を密閉開閉するための開閉装置１２が夫々設けられてなるものである。【００１３】  次にこの開閉装置１２を説明する。この開閉装置１２の構成は図４〜図８に示し、図４は開閉体８に取付された開閉機構の全開時の側面図であり、図５が全閉時の側面図で、図８は開閉体８の両横に設けられた開閉機構の正面図で２点鎖線部は閉鎖板１５で、この図はそれをとりはずしたものであり、図６は図５におけるＤ−Ｄ断面図で、図７は図４、図５におけるＣ−Ｃ断面を合成した断面の説明図である。開閉装置１２は図４〜図８に示すように開閉体８の両横に方立部本体側より取付されたスライドリンク機構９が取付され、スライドリンク機構９の上部に設けられた引っ張りバネ１０や下部に設けられた電動シリンダ１１との組合わせによって構成され、更にこの開閉体８の第１開口部側には第１開口部周縁を密閉するための密閉ゴム１４が設けられ、また開閉体８の第２開口部側には第２開口部を閉鎖する閉鎖板１５が設けられてなる。【００１４】  スライドリンク機構９の構成を説明すると方立部本体側にスライドレール１６が開閉体８の片側に上下２個ずつ設けられ、スライドバー１７がスライドレール１６内を上下に摺動可能に設けられ、スライドバー１７の上部は同じく方立部本体側に取付されたバネ取付用ブラケット１３から引っ張りバネ１０を介して吊り下げられている。このスライドバー１７に一端を回動自在にかしめ取付された長リンク板１８があり、この長リンク板１８のもう一方端にはこの長リンク板１８と回動自在にかしめ取付された開閉体取付用ブラケット１９が付き、この開閉体取付用ブラケット１９に開閉体８が取付されている。【００１５】  一方、長リンク板１８の中央部に一端を回動自在にかしめ取付された短リンク板２０が設けられ、この短リンク板２０のもう一方端にはこの短リンク板２０と回動自在にかしめ取付けされ方立部本体部に取付用の短リンク取付ブラケット２１が設けられて方立部本体部に固定取付されてなり、スライドバー１７、長リンク板１８、短リンク板２０が互いにリンクしてスライドバー１７が上昇する時、開閉体８は外部に向かって水平に押し出されスライドバー１７が下降する時は戻ってきて第１開口部を密閉する構成となる。また、こ��短リンク・長リンクの組合わせは１本のスライドバーに対して２組設けられ、開閉体８は水平に前進・後退が為されるように構成されてなる。【００１６】  上記スライドバー１７を上下にスライドさせる機構は図８において開閉体８の両横に設けられた両方のスライドバー１７の下部に両者を連結するための連結軸２２を取付するための軸付け用ブラケット２３が設けられ、長穴を有する連結プレート２４が長穴部に軸貫通された上、連結軸２２の中央位置に来るように連結プレート２４の両側にディスタンスカラー２５、２５をいれてあり、この連結プレート２４の長穴の更に下部に設けられた連結穴と電動シリンダ１１の移動軸先端の穴とが連結軸２６により軸貫通されてなるものである。電動シリンダ１１下部は方立部本体部に取付された位置調整付きで電動シリンダ下部が回動可能になるように構成されたシリンダ取付用ブラケット２７に軸支されてなる。また、連結軸２２と電動シリンダ１１の移動軸先端の穴との間に長穴付連結プレート２４を採用したのは動作中途あるいは全開時に閉鎖板１５側から予期せぬ外力が加えられた際に外力を逃がすためものであって装置保護の一種の安全装置である。【００１７】  また屋内側方立部表面で内部の第１開口部６に対向する位置に設けられた第２開口部７は屋内への外気出入口であり、第１開口部よりも開口面積を大にした。第２開口部７には略同一形の閉鎖板１５が設けられている。この閉鎖板１５は前に述べたように開閉体８と連動するようにして設けられ第１開口部６が開閉体８により密閉された時上記第２開口部もまた閉鎖板１５によって閉鎖されるように構成されている。この閉鎖板１５の使用は方立部表面の景観保護に重きをなす。【００１８】  次に動作を説明すると図３において、方立部１において屋外側の外気流入口から入った風は矢印のごとく進んで屋内側に侵入して第１開口部を経て第２開口部から矢印のごとく流出する。図４〜図８において屋内側がさむい（またはあつい）と感じると室内にいる人が操作釦（図示せず）を操作すると電動シリンダ１１によりスライドバー１７が摺動してリンク機構により開閉体８が閉鎖方向（または開放方向）に移動して第１開口部６を密閉（または開放）することになり屋内側は快適性が保たれることになる。操作釦は押している間は動作して離すと動作停止するものを用いれば更に外気流出入量を微調整することができる。また上記した安全装置の動作を説明すると動作中途あるいは全開時に閉鎖板１５側から予期せぬ外力が加えられた場合は外力がリンク機構に伝達され長リンク板１８によりスライドバー１７が降下し、スライドバー１７下部に設けられた軸付け用ブラケット２３と連結軸２２も降下するが連結軸２２の降下は連結プレート２４の長穴により他に影響を及ぼすことがなく吸収され、外力が去るとスライドバー１７上部に設けられた引っ張りバネ１０によりスライドバー１７は上昇しそのため開閉体８、閉鎖板１５はリンク機構により前進して元の位置に戻ることになる。
【実施例２】
【００１９】  図９は実施例２の方立部内換気装置の主要部をなす部分の断面部のみを記した説明図である。これは実施例１の開閉装置を空間５の片側だけに設けたものであり、もう一方側の空間４の第１開口部には蓋がされてなるものであり、この蓋は閉鎖板１５が組付けされた開閉体８の後部に断面コの字型で開閉体８と同じ長さを有するコの字型閉鎖板２８をあらかじめ取付し、反対側の空間５からこれら全体をボルト固定した後、もう一方側の空間５に換気装置を装着したものである。これは実施例１と同じ開閉装置を片側だけに設けたものであり、開閉の方法および動作については実施例１と同じであるため省略する。
【実施例３】
【００２０】  図１０は実施例３の方立部内換気装置の主要部をなす部分の断面部のみを記した説明図であり、方立部の屋内側が２空間に間仕切りされて一方の空間２９が屋外側と連通構造をなし、この空間２９と他方の空間３０との間に第１開口部６が設けられ、空間３０のうち第１開口部と対向する側に第２開口部７が設けられ空間３０内に第１開口部を密閉開閉する開閉装置付開閉体８が設けられ、また第２開口部７を閉鎖する閉鎖板１５が上記開閉体８と一体化もしくは連動するようにして設けられ上記第１開口部６が開閉装置付開閉体８により密閉された時第２開口部７もまた閉鎖板１５によって閉鎖される方立部内換気装置であり、開閉装置付開閉体８の開閉方法および動作については実施例１と同じであるため省略する。
【図面の簡単な説明】
【００２１】
【図１】  はめ殺し窓の一部を示す外観図
【図２】  内部側から見た換気装置の取付位置を示す斜視図
【図３】  実施例１の方立部全体における方立部周辺の断面図
【図４】  開閉体の開閉機構を示した全開時における構成動作説明図
【図５】  開閉体の開閉機構を示した全閉時における構成動作説明図
【図６】  図４のＣ−Ｃ断面図
【図７】  図４、図５のＤ−Ｄ断面図の略合成図
【図８】  一方の開閉体に設けられた開閉機構の構成動作説明図
【図９】  実施例２の屋内側方立部における断面図
【図１０】  実施例３の屋内側方立部における断面図
【符号の説明】
【００２２】  １  方立部
２  ガラス
３  中央部空間
４  空間
５  空間
６  第１開口部
７  第２開口部
８  開閉体
９  スライドリンク機構
１０  引っ張りバネ
１１  電動シリンダ
１２  開閉装置
１３  バネ取付用ブラケット
１４  密閉ゴム
１５  閉鎖板
１６  スライドレール
１７  スライドバー
１８  長リンク板
１９  開閉体取付用ブラケット
２０  短リンク板
２１  短リンク板取付用ブラケット
２２  連結軸
２３  軸付け用ブラケット
２４  連結プレート
２５  ディスタンスカラー
２６  連結軸
２７  シリンダ取付用ブラケット
２８  コの字型閉鎖板
２９  空間
３０  空間
【図１】
2005180158.tif 000003
【図２】
2005180158.tif 000004
【図３】
2005180158.tif 000005
【図４】
2005180158.tif 000006
【図５】
2005180158.tif 000007
【図６】
2005180158.tif 000008
【図７】
2005180158.tif 000009
【図８】
2005180158.tif 000010
【図９】
2005180158.tif 000011
【図１０】
2005180158.tif 000012